(57)【要約】【課題】電解質膜からの水素の漏れの有無を容易且つ確実に検出することができ、良好な水電解処理を遂行可能にする。【解決手段】水電解システム１０は、純水を電気分解することによって高圧水素を製造する水電解装置１２と、純水を前記水電解装置１２に供給するとともに、前記水電解装置１２から排出される前記水を、前記水電解装置１２に循環供給する水循環装置１６とを備える。水循環装置１６は、水電解装置１２から排出される水及び酸素を分離する酸素側気液分離器７８と、前記水電解装置１２から前記酸素側気液分離器７８に送られる前記水及び前記酸素の混合流体の圧力を検出する圧力センサ８６と、前記圧力センサ８６により検出された圧力に基づいて、水素の漏れの有無を判断するコントローラ２２とを備えている。【選択図】図１
2010189707.tif 000002
【特許請求の範囲】
【請求項１】
電解質膜の両側に給電体が設けられ、水を電気分解して一方の給電体に酸素を発生させるとともに、他方の給電体に水素を発生させる水電解装置と、
前記水電解装置から排出される余剰の前記水を、前記水電解装置に循環供給する水循環装置と、
を備える水電解システムであって、
前記水循環装置は、前記水電解装置から排出される前記水及び前記酸素の混合流体を前記水と前記酸素とに分離する気液分離機構と、
前記水電解装置から前記気液分離機構に送られる前記水及び前記酸素の混合流体の圧力を検出する圧力検出機構と、
前記圧力検出機構により検出された圧力に基づいて、前記電解質膜からの前記水素の漏れの有無を判断する制御部と、
を備えることを特徴とする水電解システム。
【請求項２】
請求項１記載の水電解システムにおいて、前記制御部は、前記検出された圧力が所定値を超えた際に、前記水素の漏れが有ると判断することを特徴とする水電解システム。
【請求項３】
請求項１又は２記載の水電解システムにおいて、前記制御部は、前記検出された圧力の増加率が所定値を超えた際に、前記水素の漏れが有ると判断することを特徴とする水電解システム。
【請求項４】
電解質膜の両側に給電体が設けられ、水を電気分解して一方の給電体に酸素を発生させるとともに、他方の給電体に水素を発生させる水電解装置と、
前記水電解装置から排出される余剰の前記水を、前記水電解装置に循環供給する水循環装置と、
を備える水電解システムであって、
前記水循環装置は、前記水電解装置から排出される前記水及び前記酸素の混合流体を前記水と前記酸素とに分離する気液分離機構と、
前記水から分離されて前記気液分離機構から排出される前記酸素の圧力を検出する圧力検出機構と、
前記圧力検出機構により検出された圧力に基づいて、前記電解質膜からの前記水素の漏れの有無を判断する制御部と、
を備えることを特徴とする水電解システム。
【請求項５】
請求項４記載の水電解システムにおいて、前記制御部は、前記検出された圧力が所定値を超えた際に、前記水素の漏れが有ると判断することを特徴とする水電解システム。
【請求項６】
請求項４又は５記載の水電解システムにおいて、前記制御部は、前記検出された圧力の増加率が所定値を超えた際に、前記水素の漏れが有ると判断することを特徴とする水電解システム。
【発明の詳細な説明】
【技術分野】
【０００１】
本発明は、電解質膜の両側に給電体が設けられ、水を電気分解して一方の給電体に酸素を発生させるとともに、他方の給電体に水素を発生させる水電解装置と、前記水電解装置から排出される余剰の前記水を、前記水電解装置に循環供給する水循環装置とを備える水電解システムに関する。
【背景技術】
【０００２】
例えば、固体高分子型燃料電池は、アノード側電極に燃料ガス（主に水素を含有するガス、例えば、水素ガス）が供給される一方、カソード側電極に酸化剤ガス（主に酸素を含有するガス、例えば、空気）が供給されることにより、直流の電気エネルギを得ている。
【０００３】
一般的に、燃料ガスである水素ガスを製造するために、水電解装置が採用されている。この水電解装置は、水を分解して水素（及び酸素）を発生させるため、固体高分子電解質膜（イオン交換膜）を用いている。固体高分子電解質膜の両面には、電極触媒層が設けられて電解質膜・電極構造体が構成されるとともに、前記電解質膜・電極構造体の両側には、給電体を配設してユニットが構成されている。すなわち、ユニットは、実質的には、上記の燃料電池と同様に構成されている。
【０００４】
そこで、複数のユニットが積層された状態で、積層方向両端に電圧が付与されるとともに、アノード側給電体に水が供給される。このため、電解質膜・電極構造体のアノード側では、水が分解されて水素イオン（プロトン）が生成され、この水素イオンが固体高分子電解質膜を透過してカソード側に移動し、電子と結合して水素が製造される。一方、アノード側では、水素イオンと共に生成された酸素が、余剰の水を伴ってユニットから排出される。
【０００５】
この種の水電解システムとして、例えば、特許文献１に開示された固体高分子型水電解装置が知られている。この固体高分子型水電解装置は、図７に示すように、高分子電解質膜を用いて水を電解し、陽極に酸素、陰極に水素を発生させる水電解槽１と、前記水電解槽１の陰極に発生した水素と水とを分離する水素気液分離器２と、前記水電解槽１の陽極に発生した酸素と水とを分離する酸素気液分離器３と、前記酸素気液分離器３から前記水電解槽１に水を供給する水循環ライン４と、前記水電解槽１に新規に供給される供給水の処理用イオン交換器５と、イオン交換処理後の水を蓄える純水タンク６と、前記純水タンク６の水を酸素気液分離器３に送るための供給ポンプ７と、前記水循環ライン４の循環水の一部を取り出して処理し処理後の水を前記酸素気液分離器３に送る分岐ライン８とを備えている。水循環ライン４は、酸素気液分離器３から水電解槽１へ水を供給することにより水を循環させる循環ポンプ９を備えている。
【先行技術文献】
【特許文献】
【０００６】
【特許文献１】特開２００２−１７３７８８号公報
【発明の概要】
【発明が解決しようとする課題】
【０００７】
ところで、水電解システムでは、高圧水素を生成するために、水及び生成酸素を常圧に維持する一方、生成水素を高圧に維持する差圧生成方式が採用されている。この差圧生成方式では、例えば、水電解層１の陰極に発生した水素は、陽極に発生した酸素よりも高圧となるため、この水素が固体高分子電解質膜を通って陽極側に漏れるおそれがある。
【０００８】
本発明はこの種の問題を解決するものであり、電解質膜からの水素の漏れの有無を容易且つ確実に検出することができ、良好な水電解処理が遂行可能な水電解システムを提供することを目的とする。
【課題を解決するための手段】
【０００９】
本発明は、電解質膜の両側に給電体が設けられ、水を電気分解して一方の給電体に酸素を発生させるとともに、他方の給電体に水素を発生させる水電解装置と、前記水電解装置から排出される余剰の前記水を、前記水電解装置に循環供給する水循環装置とを備える水電解システムに関するものである。
【００１０】
水循環装置は、水電解装置から排出される水及び酸素の混合流体を前記水と前記酸素とに分離する気液分離機構と、前記水電解装置から前記気液分離機構に送られる前記水及び前記酸素の混合流体の圧力を検出する圧力検出機構と、前記圧力検出機構により検出された圧力に基づいて、電解質膜からの水素の漏れの有無を判断する制御部とを備えている。
【００１１】
また、制御部は、検出された圧力が所定値を超えた際に、水素の漏れが有ると判断することが好ましい。
【００１２】
さらに、制御部は、検出された圧力の増加率が所定値を超えた際に、水素の漏れが有ると判断することが好ましい。
【００１３】
さらにまた、本発明では、水循環装置は、水電解装置から排出される水及び酸素の混合流体を前記水と前記水素とに分離する気液分離機構と、前記水から分離されて前記気液分離機構から排出される前記酸素の圧力を検出する圧力検出機構と、前記圧力検出機構により検出された圧力に基づいて、電解質膜からの水素の漏れの有無を判断する制御部とを備えている。
【００１４】
また、制御部は、検出された圧力が所定値を超えた際に、水素の漏れが有ると判断することが好ましい。
【００１５】
さらに、制御部は、検出された圧力の増加率が所定値を超えた際に、水素の漏れが有ると判断することが好ましい。
【発明の効果】
【００１６】
本発明によれば、水電解装置から気液分離機構に送られる水及び酸素の混合流体の圧力を検出し、この圧力に基づいて、電解質膜からの水素の漏れの有無を判断している。水循環装置では、一定流量の循環水が循環されているため、循環水圧も一定の幅で変動している。従って、水素の漏れが僅かであっても、循環水圧（水及び酸素の圧力）の変動を確実に検出することが可能になる。
【００１７】
例えば、生成される水素の圧力を検出して前記水素の漏れの有無を判断する際には、前記水素の漏れ量が相当量に達しないと、漏れを確実に検出することができない。一方、排出される酸素に含まれる水素濃度を検出して水素の漏れの有無を判断する際には、前記水素の漏れが非定常的に行われると、漏れを検出することができない。
【００１８】
これにより、水電解装置から気液分離機構に送られる水及び酸素の混合流体の圧力を検出することによって、電解質膜からの水素の漏れの有無を容易且つ確実に検出することができ、良好な水電解処理が遂行可能になる。
【００１９】
さらに、本発明によれば、水から分離されて気液分離機構から排出される酸素の圧力を検出し、この圧力に基づいて、電解質膜からの水素の漏れの有無を判断している。気液分離機構から排出される酸素の圧力（背圧）は、循環水圧の変動幅に比べて小さいため、水素の漏れが僅かであっても、前記酸素の圧力の変動を確実に検出することが可能になる。このため、電解質膜からの水素の漏れの有無を容易且つ確実に検出することができ、良好な水電解処理が遂行可能になる。
【図面の簡単な説明】
【００２０】
【図１】本発明の第１の実施形態に係る水電解システムの概略構成説明図である。
【図２】前記水電解システムを構成する単位セルの分解斜視説明図である。
【図３】水素漏れ時における排出水及び酸素の混合流体の圧力と時間との関係図である。
【図４】本発明の第２の実施形態に係る水電解システムの概略構成説明図である。
【図５】水素漏れ時における酸素の圧力と時間との関係図である。
【図６】本発明の第３の実施形態に係る水電解システムの概略構成説明図である。
【図７】特許文献１に開示された固体高分子型水電解装置の概略説明図である。
【発明を実施するための形態】
【００２１】
図１に示すように、本発明の第１の実施形態に係る水電解システム１０は、純水を電気分解することによって高圧水素（常圧よりも高圧）を製造する水電解装置１２と、純水供給装置１４を介して市水から生成された純水が供給され、この純水を前記水電解装置１２に供給するとともに、前記水電解装置１２から排出される余剰の前記水を、前記水電解装置１２に循環供給する水循環装置１６と、前記水電解装置１２から導出される前記高圧水素に含まれる水分を除去する水素側気液分離器１８と、前記水素側気液分離器１８から供給される水素に含まれる水分を吸着して除去する水素除湿器２０と、コントローラ（制御部）２２とを備える。
【００２２】
水電解装置１２は、高圧水素製造装置を構成しており、複数の単位セル２４が積層される。単位セル２４の積層方向一端には、ターミナルプレート２６ａ、絶縁プレート２８ａ及びエンドプレート３０ａが外方に向かって、順次、配設される。単位セル２４の積層方向他端には、同様にターミナルプレート２６ｂ、絶縁プレート２８ｂ及びエンドプレート３０ｂが外方に向かって、順次、配設される。エンドプレート３０ａ、３０ｂ間は、一体的に締め付け保持される。
【００２３】
ターミナルプレート２６ａ、２６ｂの側部には、端子部３４ａ、３４ｂが外方に突出して設けられる。端子部３４ａ、３４ｂは、配線３６ａ、３６ｂを介して電源３８に電気的に接続される。陽極（アノード）側である端子部３４ａは、電源３８のプラス極に接続される一方、陰極（カソード）側である端子部３４ｂは、前記電源３８のマイナス極に接続される。
【００２４】
図２に示すように、単位セル２４は、円盤状の電解質膜・電極構造体４２と、この電解質膜・電極構造体４２を挟持するアノード側セパレータ４４及びカソード側セパレータ４６とを備える。アノード側セパレータ４４及びカソード側セパレータ４６は、円盤状を有するとともに、例えば、カーボン部材等で構成され、又は、鋼板、ステンレス鋼板、チタン板、アルミニウム板、めっき処理鋼板、あるいはその金属表面に防食用の表面処理を施した金属板をプレス成形して、あるいは切削加工した後に防食用の表面処理を施して構成される。
【００２５】
電解質膜・電極構造体４２は、例えば、パーフルオロスルホン酸の薄膜に水が含浸された固体高分子電解質膜４８と、前記固体高分子電解質膜４８の両面に設けられるアノード側給電体５０及びカソード側給電体５２とを備える。
【００２６】
固体高分子電解質膜４８の両面には、アノード電極触媒層５０ａ及びカソード電極触媒層５２ａが形成される。アノード電極触媒層５０ａは、例えば、Ｒｕ（ルテニウム）系触媒を使用する一方、カソード電極触媒層５２ａは、例えば、白金触媒を使用する。
【００２７】
アノード側給電体５０及びカソード側給電体５２は、例えば、球状ガストマイズチタン粉末の焼結体（多孔質導電体）により構成される。アノード側給電体５０及びカソード側給電体５２は、研削加工後にエッチング処理される平滑表面部を設けるとともに、空隙率が１０％〜５０％、より好ましくは、２０％〜４０％の範囲内に設定される。
【００２８】
単位セル２４の外周縁部には、積層方向である矢印Ａ方向に互いに連通して、水（純水）を供給するための水供給連通孔５６と、反応により生成された酸素及び使用済みの水（混合流体）を排出するための排出連通孔５８と、反応により生成された水素を流すための水素連通孔６０とが設けられる。
【００２９】
アノード側セパレータ４４の電解質膜・電極構造体４２に向かう面４４ａには、水供給連通孔５６に連通する供給通路６２ａと、排出連通孔５８に連通する排出通路６２ｂとが設けられる。面４４ａには、供給通路６２ａ及び排出通路６２ｂに連通する第１流路６４が設けられる。この第１流路６４は、アノード側給電体５０の表面積に対応する範囲内に設けられるとともに、複数の流路溝や複数のエンボス等で構成される。
【００３０】
カソード側セパレータ４６の電解質膜・電極構造体４２に向かう面４６ａには、水素連通孔６０に連通する排出通路６６が設けられる。面４６ａには、排出通路６６に連通する第２流路６８が形成される。この第２流路６８は、カソード側給電体５２の表面積に対応する範囲内に設けられるとともに、複数の流路溝や複数のエンボス等で構成される。
【００３１】
アノード側セパレータ４４及びカソード側セパレータ４６の外周端部を周回して、シール部材７０ａ、７０ｂが一体化される。このシール部材７０ａ、７０ｂには、例えば、ＥＰＤＭ、ＮＢＲ、フッ素ゴム、シリコーンゴム、フロロシリコーンゴム、ブチルゴム、天然ゴム、スチレンゴム、クロロプレーン又はアクリルゴム等のシール材、クッション材、あるいはパッキン材が用いられる。
【００３２】
図１に示すように、水循環装置１６は、水電解装置１２の水供給連通孔５６に連通する循環配管７２を備え、この循環配管７２には、循環ポンプ７４、イオン交換器７６及び酸素側気液分離器７８が配設される。
【００３３】
酸素側気液分離器７８の上部には、戻り配管８０の一端部が連通するとともに、前記戻り配管８０の他端は、水電解装置１２の排出連通孔５８に連通する。酸素側気液分離器７８には、純水供給装置１４に接続された純水供給配管８２と、前記酸素側気液分離器７８で純水から分離された酸素を排出するための酸素排気配管８４とが連結される。
【００３４】
第１の実施形態では、戻り配管８０に、水電解装置１２から気液分離器７８に送られる純水及び酸素の混合流体の圧力を検出する圧力検出機構、例えば、圧力センサ（背圧センサ）８６が配設される。
【００３５】
水電解装置１２の水素連通孔６０には、高圧水素配管８８の一端が接続され、この高圧水素配管８８の他端が水素側気液分離器１８に接続される。高圧水素配管８８には、図示しないが、背圧弁が設けられており、水素連通孔６０に生成される水素圧力は、酸素側よりも高圧に維持することができる。水素側気液分離器１８で水分が除去された高圧水素は、水素除湿器２０によって除湿され、ドライ水素配管９０にドライ水素が供給される。水素側気液分離器１８の下部には、ドレン配管９２が接続され、前記ドレン配管９２には、排水用バルブ９４が配設される。
【００３６】
このように構成される水電解システム１０の動作について、以下に説明する。
【００３７】
先ず、水電解システム１０の始動時には、純水供給装置１４を介して市水から生成された純水が、水循環装置１６を構成する酸素側気液分離器７８に供給される。
【００３８】
水循環装置１６では、循環ポンプ７４の作用下に、循環配管７２を介して純水が水電解装置１２の水供給連通孔５６に供給される。一方、ターミナルプレート２６ａ、２６ｂの端子部３４ａ、３４ｂには、電気的に接続されている電源３８を介して電圧が付与される。
【００３９】
このため、図２に示すように、各単位セル２４では、水供給連通孔５６からアノード側セパレータ４４の第１流路６４に水が供給され、この水がアノード側給電体５０内に沿って移動する。
【００４０】
従って、水は、アノード電極触媒層５０ａで電気により分解され、水素イオン、電子及び酸素が生成される。この陽極反応により生成された水素イオンは、固体高分子電解質膜４８を透過してカソード電極触媒層５２ａ側に移動し、電子と結合して水素が得られる。
【００４１】
これにより、カソード側セパレータ４６とカソード側給電体５２との間に形成される第２流路６８に沿って水素が流動する。この水素は、水供給連通孔５６よりも高圧に維持されており、水素連通孔６０を流れて水電解装置１２の外部に取り出し可能となる。
【００４２】
一方、第１流路６４には、反応により生成した酸素と、使用済みの水とが流動しており、これらの混合流体が排出連通孔５８に沿って水循環装置１６の戻り配管８０に排出される（図１参照）。この使用済みの水及び酸素は、酸素側気液分離器７８に導入されて分離された後、水は、循環ポンプ７４を介して循環配管７２からイオン交換器７６を通って水供給連通孔５６に導入される。水から分離された酸素は、酸素排気配管８４から外部に排出される。
【００４３】
水電解装置１２内に生成された水素は、高圧水素配管８８を介して水素側気液分離器１８に送られる。この水素側気液分離器１８では、水素に含まれる水蒸気が、この水素から分離される一方、前記水素は、水素除湿器２０を介して除湿された後、ドライ水素配管９０に導入される。
【００４４】
この場合、第１の実施形態では、水循環装置１６を構成する戻り配管８０には、水電解装置１２の排出連通孔５８と酸素側気液分離器７８との間に位置して、前記排出連通孔５８から排出される純水及び酸素の混合流体の圧力を検出する圧力センサ８６が配設されている。
【００４５】
そして、コントローラ２２は、圧力センサ８６による検出圧力に基づいて、水電解装置１２を構成する各単位セル２４の固体高分子電解質膜４８に水素の漏れが惹起しているか否かを判断している。
【００４６】
水循環装置１６では、循環ポンプ７４を介して一定流量の循環水が循環されているため、循環水圧も一定の幅で変動している。従って、水素の漏れが僅かであっても、循環水圧（水及び酸素の圧力）の変動を確実に検出することが可能になる。
【００４７】
具体的には、圧力センサ８６による検出圧力は、水素漏れが惹起している際には、図３に示すように、時間の経過に伴って検出圧力が上昇する。このため、コントローラ２２では、検出された値が所定値、例えば、水素漏れのない基準値を超えた際に、固体高分子電解質膜４８に水素の漏れが発生していると判断する。
【００４８】
また、水素漏れが惹起している際には、時間の経過に伴って、圧力センサ８６による検出圧力が増加している。従って、コントローラ２２では、検出された圧力の増加率（傾き）が所定値を超えた際に、固体高分子電解質膜４８に水素の漏れが発生していると判断してもよい。
【００４９】
ここで、例えば、水電解装置１２から生成される水素の圧力を検出して前記水素の漏れの有無を判断する際には、前記水素の漏れ量が相当量に達しないと、漏れを確実に検出することはできない。一方、水電解装置１２から排出される酸素に含まれる水素濃度を検出して水素の漏れの有無を判断する際には、前記水素の漏れが非定常的に行われると、漏れを明確に検出することができない。
【００５０】
これにより、水電解装置１２から酸素側気液分離器７８に送られる水及び酸素の混合流体の圧力を検出することによって、固体高分子電解質膜４８からの水素の漏れの有無を容易且つ確実に検出することができ、良好な水電解処理が遂行可能になるという効果が得られる。
【００５１】
図４は、本発明の第２の実施形態に係る水電解システム１００の概略構成説明図である。
【００５２】
なお、第１の実施形態に係る水電解システム１０と同一の構成要素には同一の参照符号を付して、その詳細な説明は省略する。また、以下に説明する第３の実施形態においても同様に、その詳細な説明は省略する。
【００５３】
水電解システム１００では、酸素排気配管８４に、酸素側気液分離器７８により水から分離された酸素の圧力を検出する圧力検出機構、例えば、圧力センサ（背圧センサ）１０２が設けられる。
【００５４】
この第２の実施形態では、コントローラ２２は、圧力センサ１０２を介して検出される酸素圧力の変動に基づいて、固体高分子電解質膜４８からの水素の漏れの有無を判断している。酸素側気液分離器７８から排出される酸素の圧力（背圧）は、循環水圧の変動幅に比べて小さいため、水素の漏れが僅かであっても、前記酸素の圧力の変動を確実に検出することが可能になる。
【００５５】
具体的には、固体高分子電解質膜４８に水素の漏れが惹起している際、圧力センサ１０２により検出される酸素の圧力は、図５に示すように、時間の経過に伴って増加している。従って、コントローラ２２は、検出された酸素圧力が、所定値である水素漏れのない基準値を超えた際に、固体高分子電解質膜４８に水素の漏れが惹起していると判断する。
【００５６】
また、コントローラ２２は、検出された酸素圧力の増加率が、所定値を超えた際に、固体高分子電解質膜４８に水素漏れが惹起していると判断してもよい。
【００５７】
これにより、水から分離されて酸素側気液分離器７８から排出される酸素の圧力を検出することによって、固体高分子電解質膜４８からの水素の漏れの有無を容易且つ確実に検出することができる。このため、第２の実施形態では、良好な水電解処理が遂行可能になる等、上記の第１の実施形態と同様の効果が得られる。
【００５８】
図６は、本発明の第３の実施形態に係る水電解システム１２０の概略構成説明図である。
【００５９】
水電解システム１２０では、戻り配管８０に水電解装置１２から酸素側気液分離器７８に送られる水及び酸素の混合流体の圧力を検出する圧力センサ８６と、前記水から分離されて前記酸素側気液分離器７８から排出される酸素の圧力を検出する圧力センサ１０２とを備えている。
【００６０】
コントローラ２２は、圧力センサ８６、１０２から送られる検出圧力に基づいて少なくともいずれか一方の検出圧力が所定値を超えた際、又は、圧力の増加率が所定値を超えた際、固体高分子電解質膜４８から水素の漏れが発生していると判断する。従って、第３の実施形態では、上記の第１及び第２の実施形態と同様の効果が得られる。
【００６１】
なお、上記の第１〜第３の実施形態では、コントローラ２２が、固体高分子電解質膜４８からの水素の漏れが発生していると判断した際、水電解装置１２の高圧水素側の脱圧処理を行ったり、あるいは、電解処理を停止したりすることにより対応処置が行われる。
【符号の説明】
【００６２】
１０、１００、１２０…水電解システム
１２…水電解装置                    １４…純水供給装置
１６…水循環装置                    １８…水素側気液分離器
２０…水素除湿器                    ２２…コントローラ
２４…単位セル                      ３８…電源
４２…電解質膜・電極構造体          ４４…アノード側セパレータ
４６…カソード側セパレータ          ４８…固体高分子電解質膜
５０…アノード側給電体              ５２…カソード側給電体
５６…水供給連通孔                  ５８…排出連通孔
６０…水素連通孔                    ６４、６８…流路
７２…循環配管                      ７８…酸素側気液分離器
８０…戻り配管                      ８２…純水供給配管
８４…酸素排気配管                  ８６…圧力センサ
８８…高圧水素配管                  １０２…圧力センサ
【図１】
2010189707.tif 000003
【図２】
2010189707.tif 000004
【図３】
2010189707.tif 000005
【図４】
2010189707.tif 000006
【図５】
2010189707.tif 000007
【図６】
2010189707.tif 000008
【図７】
2010189707.tif 000009